(57)【要約】      （修正有）【課題】構造および成形において省資源、省力化ができて、しかも、輸送、保管、養殖現場の取り扱いにおいて、変形、破損、歪みが無く、取付けも安定、容易で、かつ稚貝の穿孔による負荷を軽減して、脱離が非常に少なく、回収も容易な貝掛止具を提供する。【解決手段】貝掛止具の根幹１の長手方向の両端に貝殻挿入用先端部２が形成されており、その先端部より内側の位置に一対の、上向き、下向きの異なる曲率半径を有する湾曲形状の二又のアグ（かえし）の構造からなる少なくとも一対の貝捕捉部が設置されており、根幹の長手方向の中央部分には突起状の先端部が中心側に傾斜した状態の一対のロープ止め用突起４１´が設置され、さらに対のロープ止め突起４１´の間隔内にあり、根幹のほぼ中心部の位置から直角方向に伸びる少なくとも一本の連結線部材５が設けられている貝掛止具単品、及び他の貝掛止具の根幹と連結可能した並列状連結帆立貝掛止具である。【選択図】図１
2018000131.tif 000002
【特許請求の範囲】
【請求項１】
根幹の長手方向の両端に貝殻挿入用先端部が形成されており、その先端部より内側の位置に一対の、上向き、下向きの異なる曲率半径を有する湾曲形状の二又のアグ（かえし）の構造からなる一対の貝捕捉部が設置されており、根幹の長手方向の中央部分には突起状の先端部が中心側に傾斜した状態の一対のロープ止め用突起が母線を挟むに十分な間隔を持って左右対称に設けられたロープ止め部が設置され、さらに対のロープ止め突起の間隔内にあり、根幹の長手方向におけるほぼ中心部の位置から根幹の長手方向に対して直角方向に伸びる少なくとも一本の連結線部材が設けられており、この連結線部材の先端部および対のロープ止め突起の先端部からなる少なくとも二箇所で隣接する他の貝掛止具の根幹と連結可能な状態の構造に形成されていることを特徴とする貝掛止具。
【請求項２】
貝捕捉部の形状は、上向き、下向きの異なる曲率半径を有する湾曲形状の二又のアグ（かえし）の構造からなり、上向きアグの曲率半径ｒ１、下向きアグ曲率半径ｒ２の関係がｒ１＞ｒ２であることを特徴とする請求項１に記載の貝掛止具。
【請求項３】
根幹の両端から中央方向に左右対称に貝捕捉部が順次複数設けられていることを特徴とする請求項１又は２に記載の貝掛止具。
【請求項４】
根幹の両端から中央方向に左右対称に貝寝床部が順次複数設けられていることを特徴とする請求項１又は２に記載の貝掛止具。
【請求項５】
ロープ止め突起の間隔内にあり、根幹の長手方向におけるほぼ中心部の位置から根幹の長手方向に対して直角方向に対して直角方向に伸びる一本の強固な連結線部材が設けられていることを特徴とする請求項１〜４のいずれかに記載の貝掛止具。
【請求項６】
ロープ止め突起の間隔内にあり、根幹の長手方向におけるほぼ中心部の位置から根幹の長手方向に対して直角方向に伸びる一本の連結線部材が、一対のロープ止め突起のいずれかの突起側に隣接する根幹の位置を起点にして設けられていることを特徴とする請求項１〜４のいずれかに記載の貝掛止具。
【請求項７】
ロープ止め突起の間隔内にあり、根幹の長手方向におけるほぼ中心部の位置から根幹を起点にして根幹の長手方向に対して直角方向に伸びる三本の連結線部材が根幹に順次直列に設けられていることを特徴とする請求項１〜４のいずれかに記載の貝掛止具。
【請求項８】
ロープ止め突起の間隔内にあり、根幹の長手方向におけるほぼ中心部の位置から根幹を起点にして根幹の長手方向に対して直角方向に伸びる三本の連結線部材が根幹に順次直列に設けられており、中央部の一本の連結線部材が両隣の二本の連結線部材より強固な構造に設置されていることを特徴とする請求項７に記載の貝掛止具。
【請求項９】
根幹の長手方向の両端に貝殻挿入用先端部が形成されており、その先端部より内側に一対の貝捕捉部が設けられており、根幹の中心付近を起点にして母線を挟むに十分な間隔を持って突起状の先端部が中心側に傾斜した形状の一対のロープ止め突起が左右対称に設けられ、さらに対のロープ止め突起の間隔内にあり、根幹の長手方向におけるほぼ中心部の位置から根幹の長手方向に対して直角方向に伸びる少なくとも一本の連結線部材が設けられており、このロープ止め突起の先端部、連結線部材の先端部からなる少なくとも二箇所で、隣接する他の帆立貝掛止具の根幹とを連結することにより結合して、並列的に一定の間隔を持って並んで隣接する複数の帆立貝掛止具が連続的に多数順次帯状に連結してなることを特徴とする並列状連結貝掛止具。
【請求項１０】
複数の帆立貝掛止具の単品が、３０〜３００００個が順次帯状に連結してなることを特徴とする請求項９に記載の並列状連結貝掛止具。
【請求項１１】
並列状連結貝掛止具が、帯状態、ロール状に巻かれた状態、又はボビンに巻かれた状態であることを特徴とする請求項９又は１０に記載の並列状連結貝掛止具。
【請求項１２】
並列状連結貝掛止具が、可撓性のプラスチック材料から成形されてなることを特徴とする請求項９〜１１のいずれかに記載の並列状連結貝掛止具。
【発明の詳細な説明】
【技術分野】
【０００１】
本発明は、帆立貝の養殖に用いる、ロール巻き、ボビン巻き、切り離し、あるいは養殖用ロープ取り付けが容易で、しかもロープのような母線に安定に取り付けることができる為に、ほたて貝が離脱することが比較的少なく、養殖後の貝掛止具破片の飛散による海水の汚染の防止および回収の省力化の課題も解決することができる構造を有する帆立貝掛止具単品およびその帆立貝掛止具単品が連続的に多数順次帯状に連結した並列状連結帆立貝掛止具に関する。
【背景技術】
【０００２】
初期の養殖用帆立貝掛止具としては、弾性針金を加工して、貝を吊り下げるような構造にすることは公知である（例えば、特許文献1参照）。また、母線に係止された、先端部に塊状掛止部を有する合成樹脂製細線を、ほたて稚貝の耳部に穿孔した小孔に挿通して、ほたて貝の脱離を防止することも公知である（例えば、特許文献２参照）。
このように、帆立貝を養殖する場合において、貝掛止具をロープへ一定間隔で貫通させておき、一方で帆立貝殻の耳部に穴をあけ、この穴に貝掛止具の根幹を挿通させた状態で、帆立貝を海中に吊り下げて養殖する方法が採用されており、この養殖方法は、例えば図９〜１１に示すとおりの、通称、「垂下方式」と呼ばれている。
【０００３】
現在、牡蠣、帆立などの各種の貝は養殖によるものが多く、そのほたて貝の養殖の垂下方式に供する帆立貝掛止具の単品の構造は、根幹の両端部に対称に抜け防止部および略中心寄りにピン抑え部がほぼ対称に設けられている構造のものである。これを、細紐又はロープのような母線１に、ほたて貝耳吊用貝係止具を略等間隔にとりつけ、その貝係止具にほたて貝の稚貝を対象に取り付けるのが一般的である。詳細には、ほたて稚貝の貝殻の耳部に相当する部分に穿孔による孔部を設けて、その孔部に貝掛止具の根幹の両末端に設置されているアグまたはかえし状の貝抜け防止部を、その根幹の軸方向に一致するように稚貝の孔部に挿通すると、抜け防止部のアグまたはかえし部の毛羽たちにより、稚貝が容易に離脱しないような構造になっている。
しかし、海水の揺動や、貝の成長、あるいは、海中という特殊な環境下における材料の疲労、というような予期せぬ現象が加わり、長期間ほたて貝耳吊用帆立貝掛止具を使用すると、特に抜け防止部に対して海水中の貝の揺動により帆立貝の耳部の突起形状部に接触しながら回転運動の力が加わり、抜け防止部にクリープ現象が発生し、抜け防止部が貝掛止具の根幹に密着することによる、帆立貝が貝掛止具から離脱する現象が見られる。
【０００４】
この養殖用帆立貝掛止具の利便性、生産および流通方法の面から考察すれば、合理的な生産方法は、通常は多数個取りの金型を使用して連続的に大量に製造することになり、しかもまとめて沢山の帆立貝掛止具を養殖現場に供給するための保管および輸送の利便性、さらには、切断差込機へのセットの利便性の点から、多数の養殖用帆立貝掛止具が、並列的に多数並べられた連結状態のものである、ロール巻きまたはボビンに巻き取った状態の並列状連結帆立貝掛止具の連結構造で取り扱われているのが実情である
また、この帆立貝掛止具単品の大部分は、その基本構造が細長の根幹により構成されており、通常その大きさや形状から便宜上業界では「ピン（ｐｉｎ）」とも呼称されている。このピンをロープ自動取り付け装置に供する為の便利さや、巻き取り輪状態による保管、輸送、取り扱いの便利の為に、帆立貝掛止具の単品を多数並列状に並べた、いわゆる並列状連結帆立貝掛止具の形態で流通または取り扱われている。技術用語として通常は、帯状、輪状の形態を含めて総称して、フープ（ｈｏｏｐ）と称されることから、養殖業界では、並列状連結帆立貝掛止具を通称「フープピン」と呼称している。この貝掛止具であるピンを手刺機で利用している場合もあるが、近年これを自動挿入する自動刺機が主流となっている。そうすると、この並列状連結帆立貝掛止具のこの連結構造が、ロープにスムーズに挿入することができる作業性、ロープ取り付け後のピンの安定性、帆立貝の取り付け後の安定性、成形性および回収性などの多面的な対策を検討する必要がある。
【０００５】
このために、帆立貝掛止具単品の構造の視点からの対策、および並列状連結帆立貝掛止具（フープピン）の連結構造の視点からの対策が重要になっている。貝係止具単品の対策としては、この養殖貝掛止具からの離脱を防止するために、専ら抜け防止部３の構造や形状を改良および工夫することは知られている。
しかし貝抜け防止部の改良だけでは、離脱を完全に防止することが期待できず、さらなる工夫が求められる。貝の耳部の穴に挿入する係止具を構成する根幹の両端部に、貝抜け防止の為に設ける、「かえし」、または「あぐ」と呼称される抜け防止部の部分を、二つにした、いわゆるダブルアグ構造にしたものが知られている（特許文献３）。
更には、根幹の中央部を台形状にずらした構造とする、いわゆる台形型貝係止具も提案されており、ロープへの安定な取り付け構造が追求されている。
【０００６】
同様に、並列状連結帆立貝掛止具（フープピン）の連結構造の視点からの改良として、並列状連結帆立貝掛止具の連結の改良として、根幹に設けられているロープ止めの先端部分を隣接するピンの根幹に連結した構造の養殖帆立貝の掛止具が知られている（特許文献４、５）。
また、帆立貝掛止具の単品を、連結材を利用して、一本の連結材により中央部とロープ止めの先端部で繋ぐこと、或いは二本の連結材で繋ぐことなどが提案されている（特許文献５、６、７）。また、貝掛止具の単品であるピンの中央部で連結材により多数連結することも提案されている（特許文献８）。
さらに、貝掛止具であるピンを二本の連結材によりロープ止め内の根幹部分を連結するが、連結材をロープ止め突起側にそれぞれ隣接するよう配置して連結することも提案されている（特許文献９）。
さらに、帆立貝掛止具の根幹の中央部分を台形状に屈曲させその台形部分として、対のロープ止め突起の先端部で隣接する帆立貝掛止具の根幹と順次平行に帯状に並列に連結した貝掛止具が知られている（特許文献１０）。
【０００７】
この帆立貝掛止具の連結方法は、一体成形の関係上、通常は、帆立貝掛止具と同じプラスチック材料からなるか可撓性の材料からなる。この帆立貝係止具の連結状態は、例えば、帆立貝掛止具の抜け防止部のほぼ中間に根幹とほぼ直角方向延びる、左右対称に連結用部材、幹、ストランドのような複数の連結用部材によりつなぐのが、ロール巻き取り安定性という点だけからみれば推奨されるが、帆立貝掛止具を養殖用ロープにセットする場合に、連結用部材の切断残渣がロープ挿入の支障となる場合がある。同様に、帆立貝掛止具の根幹の両対称に設けられているピン抑え部の突起のほぼ中央部に１本の連結用部材を設けることも提案されている（特許文献１１）。
しかし、このような掛止具が、帆立貝掛止具の安定性、特に捩じれによる変形に対しては非常に弱いことが懸念され、ロール捲きなどによる取り扱い上支障となる。さらに、帆立貝掛止具間を連結用部材と２個のピン抑え部を構成する突起部を連結するという、いわゆる３点で連結することも提案されているが、強度の連結は達成されても、帆立貝掛止具を機械でロープに挿入する時、ピンの挿入抵抗が大きいため、ロープにスムーズに挿入できず、取り付け作業に支障をきたさない、安定な取り付けの帆立貝掛止具が求められている。このような観点から、総合的な特性のある帆立貝掛止具の誕生が期待されている。
更に重要なことは、掛止具の取り付けが容易であり、貝の養育に適合するばかりでなく、養殖期間を終え、貝を収穫した後に、掛止具を母線から容易に除去出来ると共に、特に破片や残骸が母線中に必要以上に強固に残ったり、破片が海中に飛散して魚貝類の餌や海鳥の誤飲による生態系汚染や環境汚染というような漁業の障害にならないという、回収、撤収までを考慮した機能性貝掛止具を誕生させる為の設計や工夫を凝らすことにより、新たな観点を考慮した総合的な要件を満たす貝掛止具を誕生させるという課題が求められている。
【発明の概要】
【発明が解決しようとする課題】
【０００８】
従来、帆立貝の養殖に使用されている貝掛止具は棍棒状の軸中心部より等間隔で対に設けたにロープ止めを用い、貝掛止部はシングルのアグ（かえし）の形状であるため、稚貝をロープに吊るし長期間養殖していると、海の潮の流れや、海水の搖動により軸が自在に回転し貝掛止具に疲労が発生し、アグ（かえし）が根幹に貝を養殖の長期間安静に係留して生育させる為の根幹より相対的に細く加工した細工部分（以下、貝の「寝床」という。）に密着して、貝掛止部より貝が抜けて海中に落下することがあり、脱落の無い歩留のよい掛止具を提供するという課題が求められる。
【０００９】
また、前記課題に加え近年は地球温暖化の等の気象や海水温の影響等に起因して、稚貝の成長が遅れる場合もありえます。このような諸事情を考慮するならば、従来から採用されている掛止具の引張り強度の算定手法は、帆立貝を支持する根幹に形成されている貝の寝床部分の断面積（ｃｍ２）と材料（通常は６６ナイロン）の最大引っ張り降伏点（ｃｍ２／ｋｇ）を算定の根拠にして求めることが出来ます。更に、掛止部（アグ）の形体が、任意の大きな上向き、下向きの曲率半径の湾曲形状を有する、好ましくは二股構造であるために、ψ１．６５のキリで稚貝の殻へ穿孔する必要がありましたが、本発明は、下向きアグの構造を工夫することにより、キリ穴径（穿孔径）ψ１．５５のキリ孔でも挿入により対応することが可能であり、しかも引っ張り強度が約２．７ｋｇの強度を達成することができたものであり、穿孔による稚貝への負担を著しく軽減する役割も果たす。
さらに、本発明の貝掛止具は、キリ孔径ψ１．６５の根幹に形成された寝床部分の断面積と同程度の面積を有しており、引っ張強度が約３．５ｋｇを達成することも可能であり、貝の成長を促進するために、寝床部の太さや長さにも配慮している。
【００１０】
このように、本発明は、稚貝の殻に穿孔するψキリ穴径を出来るだけ小さくして、生育段階の稚貝の負担を軽減することが出来、さらに引っ張強度の向上に対して、数年という養殖期間の過酷な環境の付加にも耐えるために、ロープ止め部の構造も強固に改良するという、総合的な対策を講じたものである。
更に掛止具から、対の一方の帆立貝が落下すると、残っていた他方の帆立貝も不安定になり、潮の搖動によって、自在に回転しロープ止めに疲労が発生して、収穫する前に根幹棒をつけたまま海中に落下し、海水中を浮遊して汚染することがなく、特に養殖期間は母線への掛止具の安定な取り付けができ、使用後は飛散などによる特に破片や残骸が母線中に強固に残ったり、破片が海中に飛散して魚貝類の餌や海鳥の誤飲による生態系汚染や環境汚染というような漁業の障害にならないという、掛止具の回収、撤収までを考慮し環境面からの対策の課題も同時に解決したものである。
【００１１】
この連結帆立貝掛止具を構成する単品を、手刺機および自動機に於いて、ロープ、ひものような母線に容易にしかも安定に挿通でき、しかも規格どおりの母線位置に等間隔に、対称に極めて安定に固定できるとともに、帆立稚貝の穿孔部の孔径を比較的小さくして、稚貝への負担を軽減しながら強固に稚貝の掛止ができ、更に掛止具の母線止め部分を工夫することにより、掛止具を挿通することが容易にできるとともに、成形加工における無駄な材料の消費を抑えて、ロープ止めの機能を、連結の為の役割および貝掛止具の母線からのずれを防止するというような多機能の課題を解決することに併せて、養殖期間中の帆立貝の離脱も防止するとともに、養殖後の掛止具の回収が簡便に出来、廃掛止具の散乱などによる環境汚染を防止することが出来る特性を備えた掛止具である。また単品を並列に連結した帆立貝掛止具のロール巻き取り、ボビン巻取りが安定にできるために、輸送、保管、自動刺機への設置、取り扱いが容易であるという課題を解決することにある。
【課題を解決するための手段】
【００１２】
本発明は、上記の課題を解決する為に、詳細に以下の手段を採ることを特徴とするものである。
本発明の第１の特徴点は、貝掛止具の単品は、根幹の長手方向の両端に貝殻穴挿入用先端部が形成されており、その先端部より内側の位置に一対の、上向き、下向きの異なる曲率半径を有する湾曲形状の二又のアグ（かえし）の構造からなる少なくとも一対の貝捕捉部が設置されており、根幹の長手方向の中央部分には突起状の先端部が中心側に傾斜した状態の一対のロープ止め用突起が母線を挟むに十分な間隔を持って左右対称に設けられたロープ止め部が設置され、さらに対のロープ止め突起の間隔内にあり、根幹の長手方向におけるほぼ中心部の位置から根幹の長手方向に対して直角方向に伸びる少なくとも一本の連結線部材が、好ましくはロープ止め突起と同一平面に並ぶように設けられており、この連結線部材先端部および対のロープ止め突起の先端部が隣接する他の帆立貝係止具の根幹と連結可能な状態の構造に形成されていることを特徴とする貝掛止具、にある。
本発明の第２の特徴は、貝捕捉部の形状は、上向き、下向きの異なる曲率半径を有する湾曲形状の二又のアグ（かえし）の構造からなり、上向きアグの曲率半径ｒ１、下向きアグ曲率半径ｒ２の関係がｒ１＞ｒ２であることを特徴とする貝掛止具、にある。
本発明の第３の特徴は、根幹の両端から中央方向に左右対称に貝捕捉部が１〜３段と順次任意に設けられていることを特徴とする貝掛止具、にある。
本発明の第４の特徴は、根幹の両端から中央方向に左右対称に根幹より細い細工部からなる貝寝床部が１〜３段と順次設けられていることを特徴とする貝掛止具、にある。
【００１３】
本発明の第５の特徴は、ロープ止め突起の間隔内にあり、根幹の長手方向におけるほぼ中心部の位置から根幹を起点にして根幹の長手方向に対して直角方向に伸びる一本の強固な連結線部材が設けられていることを特徴とする貝掛止具、にある。
本発明の第６の特徴は、ロープ止め突起の間隔内にあり、根幹の長手方向におけるほぼ中心部の位置から根幹の長手方向に対して直角方向に伸びる一本の連結線部材が、一対のロープ止め突起のいずれかの突起側に隣接する根幹の位置を起点にしてロープ止め突起と同一面に並ぶように設けられていることを特徴とする貝掛止具、にある。
本発明の第７の特徴は、ロープ止め突起の間隔内にあり、根幹の長手方向におけるほぼ中心部の位置から根幹を起点にして根幹の長手方向に対して直角方向に伸びる三本の連結線部材が根幹に順次直列にロープ止め突起と並ぶように設けられていることを特徴とする貝掛止具、にある。
本発明の第８の特徴は、ロープ止め突起の間隔内にあり、根幹の長手方向におけるほぼ中心部の位置から根幹を起点にして根幹の長手方向に対して直角方向に伸びる三本の連結線部材が根幹に順次直列にロープ止め突起と並ぶ方向に設けられており、中央部の一本の連結線部材が両隣の二本の連結線部材より強固な構造に設置されていることを特徴とする貝掛止具、にある。
【００１４】
本発明の第９の特徴点は、根幹の長手方向の両端に貝殻挿入用先端部が形成されており、その先端部より内側に一対の貝捕捉部が設けられており、根幹の中心付近を起点にして母線を挟むに十分な間隔を持って突起状の先端部が中心側に傾斜した形状の一対のロープ止め突起が左右対称に設けられ、さらに対のロープ止め突起の間隔内にあり、根幹の長手方向におけるほぼ中心部の位置から根幹の長手方向に対して直角方向に伸びる少なくとも一本の連結線部材が設けられており、このロープ止め突起の先端部、連結線部材の先端部からなる少なくとも二点で、隣接する他の貝掛止具の根幹を順次連結することにより、並列的に一定の間隔を持って並んで隣接する複数の貝係止具が連続的に多数順次帯状に連結してなることを特徴とする並列状連結帆立貝掛止具、にある。
【００１５】
本発明の第１０の特徴点は、複数の帆立貝掛止具の単品が、３０〜３００００個が順次帯状に連結してなることを特徴とする並列状連結帆立貝掛止具、にある。
本発明の第１１の特徴点は、並列状連結帆立貝掛止具が、帯状態、ロール状に巻かれた状態、又はボビンに巻かれた状態であることを特徴とする並列状連結帆立貝掛止具、にある。
本発明の第１２の特徴点は、帆立貝係止具が、可撓性のプラスチック材料から成形されてなることを特徴とする帆立貝掛止具または並列状連結帆立貝掛止具、にある。
【発明の効果】
【００１６】
本発明の並列状連結帆立貝掛止具は、プラスチックなどから製造される、ロープ止め突起の片方が必要により連結用部材を兼ねるという構造や、場合によっては連結線部材が連結を担うこともあり、比較的簡単な構造設計ができるために、成形上において不良品の発生リスクが非常に少なく、帯状でも、変形、歪み、破損、偏りなどが無く安定であり、しかもロール巻き取り、ボビン巻取りが安定にできるために、輸送、保管、取り扱い性が容易である。しかも帆立貝係止具をロープのような母線に手刺機および自動機（ピンセッター）においても簡単に、しかも容易に挿通できるとともに、貝係止具にずれが無く、極めて安定に母線へ左右対称に、等間隔に固定できる。また、ほたて稚貝の穿孔穴部に挿通することが簡単にできる。連結帆立貝掛止具の構造および設計は、無駄な材料の消費を抑えて、ピン抑え部と連結部材の残留突起は、連結の為の役割ばかりでなく帆立貝掛止具の母線方向に対するずれや、迅速に挿入距離のバラツキを防止するというような多機能の役割を果たす。結果的には帆立貝の離脱も防止するという歩留まりの高いコスト的にも優れた作用効果が期待できる。さらに、ロール状に巻いた並列状連結帆立貝掛止具の切断装置を使用して単品にした場合に、ロープへ挿入する際の抵抗を少なくすることができるので、挿通装置による挿入が円滑にでき、ロープに挿入された貝掛止具がロープに対称に固着して、貝掛止具の左右移動や回転をしてアグが帆立貝殻の耳の段差に接触して、アグに疲労が発生して根幹に密着して、貝掛止具が帆立貝の穴より抜けるような障害の発生が少ない。
本発明の帆立貝掛止具の構造は、回収が容易であり、破損によるプラスチック破片ゴミの発生を抑制する構造になっており、魚類や海鳥などによる誤飲による被害を防ぐことも出来るので、環境対策においても期待できる。
【図面の簡単な説明】
【００１７】
【図１】本発明に係る貝掛止具単品の正面図    ［図１（ａ）］  本発明の根幹の中央部に連結線部材を有する帆立貝掛止具の正面図    ［図１（ｂ）］  本発明の帆立貝掛止具をロープ止め突起の先端と一本の連結線部材によりつないだ並列状連結帆立貝掛止具の正面図。
【図２】本発明の別態様の貝掛止具の一部の正面図    ［図２（ａ）］  本発明の根幹のロープ止め突起側に連結線部材を有する帆立貝掛止具の正面図    ［図２（ｂ）］  本発明の貝掛止具をロープ止め突起の先端と一本の連結線部材によりつないだ並列状連結帆立貝掛止具の正面図。
【図３】本発明の別態様の貝掛止具の一部の正面図    ［図３（ａ）］  本発明の３本の連結線部材を有する貝掛止具の平面図    ［図３（ｂ）］  本発明の貝掛止具単品を三本の連結線部材によりつないだ並列状連結帆立貝掛止具の正面図。
【図４】本発明の帆立貝掛止具の貝掛止部の拡大詳細図。
【図５】本発明の二段貝掛止部と根幹の中央部にロープ止め突起間に三本の連結線部材を有する帆立貝掛止具の正面図    ［図５（ａ）］  本発明の二段貝掛止部および根幹の中央部に三本の連結線部材を有する帆立貝掛止具の正面図    ［図５（ｂ）］  本発明の二段の貝掛止部および根幹の中央部に三本の連結線部材を有する帆立貝掛止具の平面図    ［図５（ｃ）］  本発明の貝掛止具単品を根幹の中央部に設けた三本の連結線部材によりつないだ並列状連結帆立貝掛止具の正面図。
【図６】本発明の根幹に二段の貝の寝床部と根幹の中央部にロープ止め突起間に三本の連結線部材を有する帆立貝掛止具の正面図    ［図６（ａ）］  本発明の二段の貝寝床部および根幹の中央部に三本の連結線部材を有する帆立貝掛止具の正面図    ［図６（ｂ）］  本発明の二段の貝寝床部および根幹の中央部に三本の連結線部材を有する帆立貝掛止具の平面図    ［図６（ｃ）］  本発明の帆立貝掛止具単品を三本の連結用部材によりつないだ並列状連結帆立貝掛止具の正面図。
【図７】本発明の貝掛止具単品をロープ突起による二箇所および連結線部材の一箇所の計三箇所で連結した並列状連結帆立貝掛止具をロール状に巻き取った貝掛止具の平面図
【図８】本発明の貝掛止具単品を３本の連結線部材によりつないだ並列状連結帆立貝掛止具をロール状に巻き取った貝掛止具の平面図。
【図９】本発明の根幹の中央部に連結線部材を有する貝掛止具を用いて、帆立貝殻の耳部に穿孔した孔部に挿通して海水中に吊下げて養殖している状態を示した模式図
【図１０】本発明の根幹の中央部に３本の連結線部材を有する貝掛止具単品を用いて、帆立貝殻の耳部に穿孔した孔部に挿通して海水中に吊下げて養殖している状態を示した模式図
【図１１】本発明の根幹に二段の貝掛止部および根幹の中央部に３本の連結線部材を有する貝掛止具単品を用いて、帆立貝殻の耳部に穿孔した孔部に挿通して海水中に吊下げて養殖している状態を示した模式図
【発明を実施するための形態】
【００１８】
本発明を実施する形態として、図を援用して詳細に説明すると、本発明の並列状連結帆立貝掛止具ｍから切り離した、一個のピンの状態の貝掛止具単品ｐの構造の形態を図１（ａ）に基づいて詳細に示す。
細長棒状の根幹１の片方又は両末端には、細紐、縄、ロープのような母線Ｒや貝殻穴にも容易に差し込めるように、根幹１の中心部の直径よりやや細い直径の貝殻穴に挿入する為の鋭利な円錐形や丸型のよう形状をした先端部２が形成されている。この先端部２は、通常は、根幹１の両端に対称に先端構造２’、２”として設置した構造が推奨される。この鋭利な先端構造を工夫することにより、母線Ｒへの挿入が容易になることは勿論のこと、貝殻への穿孔による稚貝の負担を軽減する為に貝殻の耳部に穿孔する穴部の孔径を可能な限り小さくしても、穴部への挿通が容易であり、稚貝の成長や取り付け作業の能率を上げるために寄与する。
更に、根幹１には、特に図５に示すとおり、必要な箇所に、根幹の太さより若干細くして、適宜長さを持った細工部分を設けることが出来るが、これは通常貝の寝床と呼称されており、第一段目の寝床部分１１’、１１”を、更に必要に応じて、第二段目の寝床部分１２’、１２”という、多段の寝床部を任意に設けることが出来るが、これは養殖現場の需要を考慮して作成する設計事項の範囲である。
【００１９】
根幹１の端部から、テーパー状を経て、中心部側に少し寄った先端部より内側の位置に一対の貝の捕捉機能を果たす掛止部３が設置されている。この掛止部３の詳細は、特に図４に示すとおり、上向き、下向きの異なる曲率半径を有する湾曲形状の二又のアグ（かえし）の構造からなり、根幹１の左右に一対の掛止部３’、３”として配置されている。根幹１の端側に第１段目として掛止部３１’、３１”が配置されている構造が標準の形態である。しかし、場合によっては、養殖の規模、事情を考慮して、根幹１の太さおよび長さのような掛止具の構造を調整することにより、特に図５に示すような、第二段目の対の掛止部３２’、３２”が配置されている掛止具を作成することが出来る。しかし、必要によっては第三段目のような、対の掛止部３３’、３３”を備えた、いわゆる多段掛止部を備えた掛止具を任意に設計および作成することも出来る。
【００２０】
この掛止部３を構成するアグの構造は、一応慣用の舌片状アグ部の先端部に根幹１と同じ軸方向の切れ目を設けて、先端部分が切れ目を境界にして上下または左右にずれた二つの細長片からなる各種の任意に加工した構造のものを取り付けることも可能であるが、しかしながら本発明で特定するようなアグの構造が最も適正で性能上も推奨される。
詳細には、図４に基づいて示すと、上向アグの大きな曲率半径（ｒ１）と下向の小さなアグの曲率半径（ｒ２）からなる湾曲形状の二又のアグ（かえし）の構造からなり、上向アグの大きな曲率半径（ｒ１）と下向の小さな下向きアグ曲率半径（ｒ２）の関係がｒ１＞ｒ２の条件を満たす一対の掛止具を用いることが推奨される。
なお、本発明の舌片状アグ部分のような掛止部３’、３”の構造を取り付けた貝掛止具は、根幹１という棒状形態の例についてだけ述べたが、このような棒状形態の貝掛止具以外の各種の形体の物にも一応適用できる、設計変更の範囲のものである。
【００２１】
根幹１中央部には、帆立貝掛止具を取り付けるロープのような母線Ｒに固定又は取り付けるロープ止め部４が設置されている。このロープ止め部４の具体的な構造は、ロープ止め機能を果たす為に、少なくともロープの直径の間隔を有する対のロープ止め突起４’、４”（母線係止部）が、根幹１面上に好ましくはハ字型に相対するように設置されている構造からなる。
さらに本発明の貝掛止具は、対のロープ止め突起４’、４”の間隔内にあり、根幹１の長手方向におけるほぼ中心部の位置から根幹の長手方向に対して直角方向に伸びる少なくとも一本の連結線部材５が設けられている。ロープ止め突起４’、４”と連結線部材５とは、向きの傾斜方向が違うが、好ましくは同一平面上に並ぶように設置されることが好ましい。
この貝掛止具単品ｐは、通常の成形および流通の状態では、この連結線部材先端部５および対のロープ止め突起２の先端部のいずれかの少なくとも二点で連結されており、図１（ｂ）、図２（ｂ）、図３（ｂ）、図５（ｃ）、図６（ｃ）等に示すような任意に多数個の単品が連結されている状態の並列状連結帆立貝掛止具の製品ｍとして取り扱いされる。
【００２２】
根幹１の長さは、稚貝の大きさ、養殖の規模、養殖期間、材料特性を考慮して、任意に設計するが、通常は、５０〜１４０ｍｍ、好ましくは６５〜７５ｍｍ程度のものが推奨される。しかし、根幹１の両端部にアグ掛止部３’、３”を１個設ける場合に、この程度の長さで対応できるが、アグを２個、３個と順次並列に多段に多く設置するような場合には、根幹１の長さや太さは任意の１５０ｍｍ、２００ｍｍと任意に調整できるが、貝や養殖の規模を考慮して任意に決める設計変更の範囲内である。
根幹１の直径は、０．５〜５ｍｍ程度のものが一般的に用いられる可能な範囲であるが、普及サイズとしては、稚貝の大きさや、養殖の規模、負荷などを考慮して任意に選定できるが、約１．２ｍｍ、１．５ｍｍ、１．８ｍｍ、２ｍｍ、３ｍｍなどの大きさのものが実用的である。根幹は均一な太さの棒状のものでも良いが、一般には、重力、負荷、強度などの力学的なバランスを考慮して、根幹１の長さ方向の中央部分が比較的太く、両端部にいくにしたがって細くなる傾向を示すデザインのものに設計することが推奨される。
【００２３】
根幹１の断面は、掛止具の特有の構造からして、位置により断面の構造が変わりうるが、円形、直方形、長方形、楕円形といった任意の断面形体のものが採用できるが、根幹の部位や材料の性質や強度を考慮して設計することが出来る。貝殻穴挿入用先端部２’、２”の部分は、貝殻に丸型穴を穿孔しているので、これに適合できるように断面丸型に成形をして、根幹の中央部分は、強化も兼ねて、建築の梁の原理を考慮して若干、太くするというような、稚貝を取り付ける場合の力学的な構造を考慮して、根幹の部位に応じて、形状および寸法は任意に変えるというような設計事項であるが、通常は円形、楕円形、であるが、場合によっては略長方形の断面構造を採ることが推奨される。
この根幹１の設計は、それを構成する材料として、如何なるプラスチック材料を選定するか、それを延伸するか、熱処理の有無などの技術事項を考慮して作成する設計事項である。
【００２４】
本発明の貝掛止具ｓを構成する貝掛止部３の構造の詳細は、通常は舌片状アグ部分、二重アグ部分、もしくは各種設計変更した構造のものになっているが、高度な捕捉機能を重視しない場合には、根幹１と同じ軸方向の切れ目を設けて、先端部分が切れ目を境界にして上下または左右にずれた、いわゆるＷアグと呼称される、二重の細長片からなる構造のもの、或いは、切れ目のない単なる舌片状のもの、Ｔ字状のものなど、帆立貝の抜け落ちを防止する為に任意に工夫した各種の構造のものを使用することにより、稚貝の離脱を防ぐことも一応可能であるが、本発明は、特定の一対の、上向き、下向きの異なる曲率半径を有する湾曲形状の二又のアグ（かえし）の構造からなる一対の貝の捕捉構造のものを選択したことに非常に意義がある。
【００２５】
本発明の貝掛止部３の好ましい実施態様は、例えば図１（ａ）、図２（ａ）、図３（ａ）等に見るように、プラスチックなどから製造され、根幹１の両端部側に設けられた、通常はアグまたはかえしの構造をした貝の抜け防止、捕捉機能を有する貝掛止部３を有するものである。
本発明のこの根幹１の軸部の両先端に設けられている貝捕捉部機能を有する貝掛止部３の構造は、特に図４に詳細に示すような、曲率半径ｒ１の上向きアグ３１１’と、曲率半径ｒ２の下向アグ３１２’からなる、異なる曲率半径を有する湾曲形状の二又のアグ（かえし）の構造からなる一対の貝を掛止する機能を備えたものである。
このようなアグ構造は、一方から、例えば潮流などにより上側から何らかの力が加われば、上向きアグ３１１’は湾曲して根幹１の面に寄り付き、貝が容易に抜けることが有り得る状態になるが、しかし、下向きアグ３１２’が起立する方向に動くことになり、この下向きアグが貝の抜け落ちを防止するような補助作用をすることになる。この上向きアグ３１１’および下向きアグ３１２’の、等大またはいずれも大きくすると太くなり、貝殻への穿孔の直径を大きくしなければならないので、貝への負担を大きくすることになり好ましくない。
更に、このアグの形成による、又は場合によりアグを収納の為の役割を果たすことができる程度に、通常はアグ加工に伴い、根幹１に細くなった部分１１’が、所定の長さ（Ｌ３）に形成された欠損部が設けられており、この部分は養殖期間中に長期間、安定に、貝が係留され養育されるという、貝の生育に適した部分であり、通常、この根幹の欠損部分を貝の「寝床」と呼称される場合があり、図１の１１’、１１”の部分や、同様に図５の１２’、１２”のような部分を指す。
【００２６】
図４に基づいて更に貝掛止部３の規模を詳細に説明すると、アグの曲率半径は、くさび型のような先細めというその独特の形態に起因して、加工後に自然に余力で略円弧状に変形する場合も有るが、成形加工においても容易に任意の曲率に賦形することができる。
この貝掛止具を貝殻の穴に差し込むとき、アグ掛止の形状（ｒ１）（ｒ２）が寝床部分に押し倒されて貝穴に容易に挿入できるようにｒ１の長さより寝床部分の長さＬ３を大きくしており、根幹が貝の穴を貫通し終えたときは、自己の弾性と復元力により自動的に起立して倒伏する前の元の状態に復元する。
大きな上向アグの長さ（Ｌ１）は、通常は円弧の状態であるが、両端の直線距離で表すと、約２．５０〜７．００ｍｍの範囲であるが、好ましくは３．４０〜３．５５ｍｍ程度である。
一方、小さな下向アグの長さ（Ｌ２）は、通常は円弧であるが、直線距離で示すと、約０．５０〜２．００ｍｍの範囲であり、好ましくは１．００〜１．２０ｍｍ程度である。
上向アグの大きな曲率半径（ｒ１）は、１．００〜５．００ｍｍの範囲であるが、好ましくは２．３０〜２．５ｍｍ程度である。
一方、下向アグの小さな曲率半径（ｒ２）は、０．８〜２．００ｍｍの範囲であるが、好ましくは１．００〜１．２０ｍｍ程度である。
次に、汎用の標準仕様としては、曲率半径のｒ１＝２．３０〜２．５０ｍｍ  寝床の長さＬ３＝５．０〜６．０ｍｍ  曲率半径ｒ２＝１．０〜１．２０ｍｍあり、特に本発明では、ｒ１＞ｒ２であるものが推奨される。
この貝掛止部３やアグの構造の規模や構造は、それを構成する材料として、如何なるプラスチック材料、例えばポリアミド、ポリエステルなどの材料選定による、またはそれを延伸するか、熱処理をするかなどの技術事項を考慮して作成する設計事項である。
アグの円弧を形成する大きな曲率半径（ｒ１）と、小さな曲率半径（ｒ２）の平均寸法差は、１．００〜３．００ｍｍ程度有することが、二つのアグの違いに基づく掛止効果を高める為に有利である。
【００２７】
掛止具の引張強度は、貝を支持する寝床の断面積（ｃｍ２）に使用する材料（ポリアミド・６６ナイロン等）の引張降伏点（８２０ｋｇ／ｃｍ２）を乗じて求められるものである。
従って、特に図４に示すとおり、貝殻への穿孔による貝の負担を軽減させるために、できるだけ穴径を小さくすることが好ましく、貝穴に挿入する径を小さくしても所定の掛止強度を維持する為には、上向アグの曲率半径ｒ１を自動的に起立する範囲で設けることが推奨されるが、この結果、貝を支持する寝床の長さ&#8467;３や断面積を大きくすることは可能である。
寝床１１’、１２’の長さＬ３は、曲率半径ｒ１の根元より水平に約６．００〜６．５０ｍｍ程度にし、軸の外形に沿った傾斜させた任意の角度θで結んだ形状のものに設計できる。
この掛止部３を構成するアグ構造３１’、３１”の形状は、二重のアグ（かえし）の形状を施しており、潮の流れにより帆立貝が搖動しても、アグの一片が潰れて寝床に密着しない為、掛止部より貝が抜け落ちないという抜け防止の機能を果たす構造になっている。
【００２８】
本発明の貝掛止具は、貝の養殖期間安定に貝を掛止できる掛止部３の工夫は勿論のこと、養殖後の貝掛止具の適正な回収までを考慮して、掛止部３の引き抜き強度とロープ止め部４の引き抜き強度の関係を算定の根拠にして設計したものである。
さらに構造的にも、図５にも示すとおり、この掛止部３として、第１段のアグ構造３１’、３１”および第二段のアグ構造３２’、３２”のような複数のアグ構造を順次設けることも可能であり、比較的規模の大きな密な養殖が可能である。海水の富裕条件などを考慮して作成することが出来る。
同様に、図６（ａ）に示すように、根幹１に貝の第１寝床部分１１’、１１”および第２の寝床部分１２’、１２”というように、複数の寝床部分を加工することが推奨される。これは、掛止具内を貝が自由に移動できるために、貝の寝床兼遊び場を設置することも可能であり、貝へのストレスの解消や、位置を変えて貝のプランクトンの捕捉にも有利であり、養殖には最も推奨される構造である。
【００２９】
本発明の貝掛止具を構成するロープ止め部４の詳細な構造および機能をさらに詳細に説明をすれば、ロープ、縄、紐のような母線Ｒに挿入する為に、根幹１の両端部は、中心部に若干傾斜した突起片のような構造になっている。根幹１の中央部付近にはその根幹の中心付近を起点として、ほぼ対称に中心方向に若干傾いた、傾斜角θは１０〜８０度、好ましくは３０〜６０度程度傾いた一対のロープ止め突起４’、４”がロープのような母線を挟むに十分な間隔、例えば突起の先端部の間隔で、５〜２５ｍｍ、好ましくは８〜１６ｍｍ程度の間隔を持った対の母線止めの役割を果たすと共にピン抑え機能を果たす、長さ２〜８ｍｍ程度、断面は０．８〜４．０ｍｍ２程度の大きさの一対のロープ止め突起４’、４”が、略ハ字型に設けられており、このハ字型突起の間隔内に、少なくとも一本の連結線部材５が配置可能な構造である。
【００３０】
重要なことは、この傾斜したロープ止め突起４１’、４１”の先端には、図１、図２などに示すとおり、隣接する貝掛止具単品ｐとを連結して並列状連結帆立貝掛止具ｍを形成するのに便利な、突起４１’、４１”の先端部を起点にして、根幹１に対して垂直方向に伸びる、０．５〜３ｍｍ程度の直角先端部分４１１’、４１１”が存在する。
この直角先端部分４１１’、４１１”は、貝掛止具をロープに取り付けた場合に、力学的に有意にロープＲの表面を水平方向から押して、一定間隔に維持する為に有意に寄与する場合もあり、俗に言ういわゆる平手打ち効果と呼称することも出来る。
この突起ロープ止め部４の規模、強度の設計は、貝掛止部３の貝捕捉強度を考慮して設計する。例えば、貝掛止部３が、引っ張り強度が約２．７ｋｇ程度の強度を有する場合に、養殖後に、貝掛止具をロープ部から回収する場合に、破損などにより貝掛止具の海水中に飛散を防止する為に、貝だけを引き取り、貝掛止具だけはロープに残すことを試みる場合には、貝掛止部３の強度よりも、ロープ止め部４の突起や連結線部材５の太さや長さの寸法を適度に調整して、総合強度を若干強く設計することが好ましい。
詳細には、この貝掛止具ｐの太さ、大きさというようなサイズおよび配置は、成形工業の難易度も考慮しなければならないが、最終的には、海水の状態、稚貝の大きさ、養殖期間、貝の成長、掛止具の材料の強度等も考慮した、ほたて貝の養殖環境に応じて、養殖業者の需要に応じて決めるようなことであるが、一応、大量に供給する汎用の標準サイズの例であり、その大きさ、太さ、形態などの規格は、当業者が状況に応じて考慮する設計変更の範囲内である。
【００３１】
貝掛止具のロープ止め突起４’、４”内には、図１（ａ）に示すような、ロープ止め突起の間隔内にあり、根幹１の長手方向におけるほぼ中心部の位置から根幹を起点にして根幹の長手方向に対して直角方向に伸びる一本の強固な連結線部材５が設けられている貝掛止具の態様を示すことができる。この連結線部材５は、図１（ａ）に示すとおり、根幹１のほぼ中央に配置されており、根幹１の表面から長さが約３〜１４ｍｍ程度に切断され使用される線部材である。この連結線部材５は、好ましくは直径０．３〜３ｍｍ程度、長さが３〜１２ｍｍ程度の大きさを有する線部材５であり、貝掛止具を構成する掛止部３のアグ構造３’、３”やロープ止め突起４’、４”の強度に比較して、強固にすること、すなわち、直径の寸法を１〜４割程度太くすることにより断面積を大きくして強度を持たせることが推奨されるが、養殖後の掛止具の回収においても、プラスチック屑の散乱を防止するような強度に設計する。
というのは、この貝掛止具ｐを養殖に使用した場合に、図９、図１０、図１１等に示すとおり、この線部材５は、ロープＲのほぼ中央部に配置され、ロープＲの中心部に喰い込み繊維内に強固に配置され、根幹１の左右移動を抑制するばかりでなく、根幹１のロープを軸とする回転運動も阻止することになり、養殖期間における貝掛止具の安定な取り付けに寄与する。これに、ロープ止め突起４’、４”がロープを補足すれば、数年の長い養殖期間中でもより完璧に貝掛止具を安定に取り付けることができる。
【００３２】
貝掛止部３およびロープ止め部４の、特に強度の関係は、貝掛止部３のアグ構造に、例えば、キリ穴径（穿孔径）ψ１．５５のキリ孔でも挿入により対応することが可能にして、しかも引っ張り強度が約２．７ｋｇの強度を達成した場合に、ロープ止め部４の引っ張り強度を如何に設定するかも、養殖後に回収する条件に大きく影響をすることが予測される。養殖期間の掛止具の経年材料劣化の要因も考慮して設計をしなければならない。ロープ止め部４の引っ張り強度は、専ら、通常はロープ止め突起４’、４”および線部材５の組み合わせによる複合効果により達成される。もし、このロープ止め部４の引っ張り強度を、貝掛止部３の強度以下である、例えば２．７ｋｇ以下である、２．５ｋｇ、２．０ｋｇ等に設計すれば、養殖後に掛止具が母線Ｒから比較的容易に抜けることになり、回収が容易になる。一方、ロープ止め部４の引っ張り強度を３．５ｋｇ、４．０ｋｇと強化すれば、安定に養殖が可能であるが、養殖後の掛止具の回収が容易にできない恐れが発生する。
貝掛止部３およびロープ止め部４の設計は、特にアグ構造３’、３”、ロープ止め突起４’、４”および線部材５の太さや、長さ、数、材料特性、経年変化などの養殖現場の諸事情を考慮して決める設計事項である。
【００３３】
この貝掛止具単品は、成形加工および製品として流通する場合には、掛止具単品が、多数順次帯状に連結した並列状連結帆立貝掛止具として取り扱われるために、図１（ｂ）、図２（ｂ）等に示すように、隣接する貝掛止具とロープ止め突起の少なくとも二箇所の先端部で、ロープ止め突起先端部一箇所と連結線部材先端部からなる二箇所で、または、ロープ止め突起の先端部の二箇所と連結線部材からなる三箇所で少なくとも連結する手法により任意に達成される。
本発明の並列状連結帆立貝掛止具ｍを構成する貝掛止具ｐと隣接する貝掛止具とが、ピン抑え機能を果たすロープ止め突起４’、４”の少なくとも一つが母線Ｒ止めの役割を果たすと共に、連結線部材５の有する連結の役割を兼ねるという構造は、根幹１への不必要な連結線部材の切り残し残渣が無いという点で非常に有意な構造である。また、貝掛止具として切り離しをした場合に、成形材料の若干の消耗や損失も防ぐことになり、省資源としての評価もできる。このような構造は、成形の容易性や、多数取り成形において、複雑で無用な構造成形を省略しているので、不良品の発生を防止するという点で、更には成形上のリスクを回避するという点でも有利であることが挙げられる。
【００３４】
さらに、並列状連結帆立貝掛止具ｍを形成する場合に、斜め形状の突起であるピン抑え機能を果たすロープ止め突起４’、４”で連結するということは、帆立貝掛止具の切り離しに於いて、根幹１の平行方向に力を加えると容易に分離することができる。これは、並列状連結帆立貝掛止具ｍの単品ｓを切り離す場合に、歪みなどを少なくすることができる。
根幹１の中央付近で、一本の連結線部材５の接合部５’と、ロープ止め突起４の先端の接合部４１’、４１”という、少なくとも二点で連結することにより、歪、湾曲、破損などを防ぎ、並列状連結帆立貝掛止具の形状を変形させるような力が加わることを防止することが可能である。さらに、並列状連結帆立貝掛止具の輸送、保管、ロープ取り付けなどの取り扱いにおいても、図７、図８に示すような、コンパクトなロール巻き、又はボビンに巻き取る場合の形状安定に極めて有利である。必要な場合には、並列状連結帆立貝掛止具の必要な箇所を随時設けた連結線部材でさらに連結することも可能である。
【００３５】
連結線部材５は、図１（ａ）に示すような中央に設置されているばかりでなく、図２（ａ）に示すとおり、一対のロープ止め突起のいずれかの突起側に隣接する、根幹のずれた位置を起点にして任意に設けることが出来る。その連結線部材の特徴は、図１（ａ）のように中央に設置する場合と同様に、その拡大図である図９〜図１１に示す要領で、ロープＲの外表面側や、ロープの内部の任意の位置に強固に深く食い込むために、貝掛止具とロープの結合力を高める機能を果たす。掛止具をロープにセットする場合に、連結線部材５の位置や大きさ等が影響する場合があり、養殖の条件を考慮して決める事項である。この連結線部材５の規模は、業者が、稚貝の大きさ、貝殻穿孔穴、ロープの材料や構造、および海水の状況を考慮して、特にその長さ、太さ、設置位置は、材料の特性は勿論のこと、養殖の状況、規模を、更には養殖後の貝収穫の際に、貝掛止具の回収を如何にするかという事情を考慮して決めるような設計事項である。
この貝掛止具単品ｐが、並列状連結帆立貝掛止具ｍとして取り扱われる場合には、図１（ｂ）、図２（ｂ）、図３（ｂ）、などに示すように、隣接する貝掛止具とロープ止め突起の二箇所の先端部で、または、ロープ止め突起４’、４”の先端部の一箇所又は二箇所と連結線部材５の先端部の少なくとも二点または三点で、連結するか、複数の連結線部材５だけで連結することにより達成される。この典型的な結合状態は、図１〜３、図５（ｃ）、図６（ｃ）、図７、図８、などに示すように、各種の連結の態様に示すような連結の役割も適正に果たす。
【００３６】
貝掛止具の別態様として、図３（ｂ）、図５（ｃ）、図６（ｃ）に示すように、選定したロープ止め突起の間隔内にあり、根幹１の長手方向におけるほぼ中心部の位置から根幹を起点にして根幹の長手方向に対して直角方向に伸びる三本の連結線部材５１、５２、５３が、ロープ止め突起と同じ面で並ぶような角度で、根幹に順次並列に設けられている掛止具である。
図１０、図１１にも示すとおり、この三本の連結線部材のうち、中心部の線部材５２は、ロープＲ内に組み込み、固定機能を果たすが、両端部の二本の線部材５１、５３は、選定したロープ幅の間隔で設置すれば、適度にロープを挟む機能を果たすことになり、左右ずれ等の場合に、ロープ止め突起の補足機能を果たすことになるため、ロープ止めの機能を非常に高めることができる。線部材５１、５３の間隔をロープ幅より若干狭くすれば、線部材５１、５３の一部がロープ内に食い込むために、より強固な固定になる。特に、貝掛止具のロープに対する左右移動や回転運動が高度に阻止されることになり、より安定な養殖の事業の遂行に寄与する。
【００３７】
三本の連結線部材は、中央部の一本の連結線部材５２が両隣の二本の連結線部材５１、５３より強固な構造に設置することが好ましい。この貝掛止具は、同一の材料で成形されているので、例えば、線部材５１，５３が１ｍｍ程度の径を有する成形物である場合には、中心線部材５２はそれより１〜４割程度大きな太い径にすれば、容易に達成できる。
養殖期間が終わり、貝を回収する場合に、貝をロープから引く抜くときに、使用済の貝掛止具をロープ中に残して貝だけを収穫しようとする場合には、設計事項として予め考慮しなければならない。例えば、貝掛止部３のアグの引張強度として、約３．５ｋｇを達成した場合に、ロープ止め部４の引張強度および連結線部材５による引張強度の合計強度も達成しょうとする場合には、突起、部材の太さや長さの条件を考慮して、引張強度を算定して、約３．５ｋｇ以上の引張強度を持たせると、収穫の場合に、貝掛止具をロープ中に残せるか、或いは約３．５ｋｇ以下にして収穫貝に掛止具を付けた状態で回収できるようにするかというような構造設計は、養殖の事情を考慮して成形段階で推測できる設計事項である。
この三本の連結線部材５１、５２、５３の連立構造は、単に３倍に補強するという単純な算定の作用効果ばかりでなく、掛止具、ロープ、養殖という特殊な構造および環境という条件下においで特有の効果が達成できるばかりでなく、プラスチックごみの散乱を抑制するという面においても寄与する。三本の連結線部材５１、５２、５３の規模は、安定な養殖および回収などを勘案して、材料の特性、太さ、長さなどを考慮して設計する技術事項である。
【００３８】
この貝掛止具単品は、成形上および製品として流通する場合には、図１（ｂ）、図２（ｂ）、図３（ｂ）、図５（ｃ）、図６（ｃ）、図７、図８等に示すような、このロープ止め突起４’、４”の先端部４１、連結線部材５の先端部からなる少なくとも二点で、隣接する他の帆立貝掛止具の根幹とを連結することにより結合して、並列的に一定の間隔を持って並んで隣接する複数の帆立貝係止具が連続的に多数順次帯状に連結した並列状連結帆立貝掛止具として取り扱う。
詳細には、根幹１の長手方向のほぼ突起寄りに、根幹１の長手方向に直交する方向に、隣接する別の帆立貝掛止具と連続的につながる中央連結用部材５の先端部の結合部５１と、ロープ、縄止めの役割も果たす突起のようなピン抑え部の役割を果たすロープ止め突起４’の先端の接合部４１’を、例えば１〜１２ｍｍ、好ましくは２〜６ｍｍ程度の一定の間隔を持って並列的に隣接するように帯状に並べられた別の帆立貝掛止具とを、順次連結した構造である。
【００３９】
帆立貝掛止具を母線Ｒへ挿入する場合に、ロープ止め突起４’、４”は、容易に傾斜して簡単に挿入できるが、逆からの動きを止めるにおいて有利に働く。帆立貝掛止具を母線Ｒへ挿入する場合には、若干中心部側へ倒れる程度の強度を有することが推奨される。この傾斜角θは、根幹１が母線Ｒからのスライドによる大幅なずれや偏り、抜け落ちることを防ぐとともに、一対のピン抑え機能を果たすロープ止め突起４’、４”の間隔が母線Ｒの直径よりやや広い遊びが有るので、根幹１のスライドによる若干の遊びが、母線Ｒのゆれによって惹起する力が直接養殖用帆立貝の稚貝に伝わるのを緩和する作用をすることも有り得るばかりでなく、さらに、このピン抑え機能を果たすロープ止め突起片およびその傾斜角は必要以上に根幹１が母線Ｒから移動することを確実に止めることにおいて有利な構造であり、かつ有利に作用するように設計をすることができる。
【００４０】
この並列状連結帆立貝掛止具の連結状態は、例えば図１（ｃ）などに見られるような、帆立貝掛止具のロープ止め突起４’、４”の間隔内にあり、根幹１に対して略直角方向に延びる、連結をする為の、線、幹、ストランドのような少なくとも一本の連結用部材５の先端部の接合部５’で結合した状態になっている。金型成形規模では通常３０〜１２０個程度で成形されるが、実際の並列状連結帆立貝掛止具の連結数は、供給する養殖現場の事情にもよるが、３０〜３００００個が順次帯状に連結してなる並列状連結帆立貝掛止具である。小規模の場合は、３０〜５０個程度の少量から、１００〜５００個程度、場合によっては１０００〜５０００個程度と、場合によっては５０００〜３００００個、好ましくは８０００〜１００００個程度で流通可能である。いずれにせよ養殖規模の状況を考慮して任意に決めることができる。ここで規定する寸法や条件は、標準の大きさの稚貝の場合であり、貝の大きさや、養殖時期、養殖場所、および貝掛止具の材料の強度を考慮して任意に変えることができる設計変更の範囲内のことである。
【００４１】
この並列状連結帆立貝掛止具は、成形加工、運用、取り扱いなどの利便性を考慮して、図７、図８に示すように、便宜的に、帯状態、ロール状に巻かれた状態、又はボビンに巻かれた状態で取り扱われる。図２に示す連結線部材５が中心からロープ止め突起側に移行している状態の並列状連結帆立貝掛止具も同様に取り扱われる。
本発明の並列状連結帆立貝掛止具Ｍの一つを切り離した単品は、慣用の自動挿入装置（ピンセッター）で対応できる。
【００４２】
貝掛止具単品および並列状連結帆立貝掛止具の材料は、金属、プラスチック、木材など、多くの材料が用いられるが、一般には、プラスチックが最も適している。プラスチック材料は、ポリエチレン、ポリプロピレン、ポリアセタール、ポリカーボネート、ポリエステル、ポリスルホン、ポリフェニレンサルファイド、ポリアクリレート、ポリアミド、などの各種汎用のプラスチック材料が強度、耐久性、耐水性、再処理性、無毒性、価格などの事情を考慮して使用される。特にエンジニアリングプラスチックの範ちゅうに属する材料であれば任意に使用できるので、これらの例示のプラスチック材料に限定されるものではない。特に耐久性、成形性、価格などの面を総合的にみれば、ナイロンのようなポリアミド樹脂が適している。これは普通にナイロン６、６６、１１、１２、４６、６１０という商品名で容易に入手できる材料である。ナイロン１１、１２などは吸水性が小さく根幹に適している。さらに、耐水性、耐加水分解性の改良した材料を選定することも推奨される。
【００４３】
本発明の並列状連結帆立貝掛止具ｍの成形方法は、プラスチック材料の幹棒を、切削、溶着のような二次加工により容易に製造することができる。しかし、本件発明の並列状連結帆立貝掛止具は一時期に多量に使用されることもありうるという事情からすれば、実用的には、本発明の根幹１の末端部に特殊な舌片状アグ部分のような構造を有する一対の掛止用突起３’、３”を有する帆立貝掛止具を一度に多数個成形する、いわゆる多数個取り金型を作り、多数の帆立貝掛止具が連結した連結帆立貝掛止具の製品を、一度に多量に射出成形することが理想的な製造方法である。このように、並列状連結帆立貝掛止具が多数連結した構造の製品を作ることは、その後母線取り付けピンセッターを使用して、容易に取り付けるために有益である。射出成形された帯状の並列状連結帆立貝掛止具を、熱処理、延伸、アニーリング、塗布、塗装等の後処理により、製品の耐海水性、強度および品質を上げることは任意に採用することである。
特に、棍棒１に延伸を加えることは、強度が向上するばかりでなく、細く加工することになり、貝殻孔の口径も小さくすることが出来るので、稚貝の負担を軽減することにもなる。
【００４４】
この牡蠣、帆立などの各種貝掛止具単品ｐの養殖現場の実施態様は、例えば、図１（ｃ）の並列状連結帆立貝掛止具ｍから切り離して、帆立貝殻の耳部に穿孔した穴部に挿通して吊るして、海水中で養殖に使用する模式図が、図９、図１０、図１１であり、このような要領で実施することが出来る。この図にも示すとおり、連結線部材５が、ロープＲ内に食い込み、根幹１の左右移動や回転を阻止する機能を果たしていることになり、養殖効果を上げることが容易に推察できる。
【実施例】
【００４５】
以下、本考案の有効性に関する評価を、実施例を挙げて説明をするが、本発明はこの態様に限定されるものではない。
【００４６】
（並列状連結帆立貝係止具の成形実施態様１）
本発明のほたて貝耳吊用並列状連結帆立貝掛止具ｍを、樹脂材料として、通常ナイロン１１というポリアミドを用いて、図１（ｂ）に見るように末端構造を成形できる多数個取り金型を備えた射出成形により、並列状連結帆立貝掛止具の多数が一体に連結した状態のユニットを、一度に８０個成形をした。
その並列状連結帆立貝掛止具ｍの形状は、先行技術にみられるような種々の形態のものを採り得るが、本発明の実施例では、最も典型的な帆立貝掛止具として、図１（ｂ）に示す根幹型であり、根幹１の長さ７ｃｍ、平均太さ約１．５ｍｍのものを選び、その両端部に、図１（ｂ）に示す幹棒型であるものを選び、その両端部に本発明の一対の舌片状アグ部である上向きアグの曲率半径ｒ１が２．２ｍｍ、長さ３．１ｍｍ、下向きアグの曲率半径ｒ２が１．１ｍｍ、長さ１．１ｍｍの湾曲形状の二又のアグ（かえし）の構造からなり、養殖に貢献する貝寝床は、６．４ｍｍである。中央部に母線Ｒに取り付ける対のずれ又は滑り止め突起のようなロープ止め突起４’、４”が、傾斜角６０度で、直径が約１ｍｍ、長さが４ｍｍ程度のものが、先端間隔が９ｍｍの状態で配置されており、この突起の中央部に直径１ｍｍ、長さが５ｍｍ程度の一本の連結線部材５を有する並列状連結帆立貝掛止具を成形することができた。
【００４７】
（並列状連結帆立貝係止具の成形実施態様２）
本発明のほたて貝耳吊用並列状連結帆立貝掛止具の別態様として、上記同実施態様１と同様の方法で、樹脂材料として、通常ナイロン１１というポリアミドを用いて、図３（ｂ）に見るように賦型された多数個取り金型を備えた射出成形により、中央並列状連結帆立貝掛止具の多数が一体に連結した状態のユニットを、一度に８０個成形をした。
その並列状連結帆立貝掛止具１の形状は、本発明の実施態様２では、最も典型的な帆立貝係止具として、図３（ｂ）に示すように賦型された成形用金型であり、他は実施態様１に準拠する。この実施態様２では、ロープ止め突起４’、４”内の中央部分に直径１ｍｍ、長さが５ｍｍ程度の三本の連結用部材５１、５２、５３を有する並列状連結帆立貝掛止具を成形することができた。
この連結線部材５１、５２、５３の、中心部５２の直径を例えば１．２ｍｍに、長さを７ｍｍというように、太さや長さを適宜調整して、そのロープとの密着性の挙動を解析することが非常に有意義である。
【００４８】
（二段アグを有する並列状連結帆立貝係止具の成形実施態様３）
本発明のほたて貝耳吊用並列状連結帆立貝掛止具ｍを、上記同実施態様１、２と同じ実施要領に従って、樹脂材料として、通常ナイロン１１というポリアミドを用いて、図５（ａ）に見るように一対の掛止用突起である一段目のアグ構造３１’、３１”、二段目のアグ構造３２’、３２”を有する製品を成形できる多数個取り金型を備えた射出成形により、並列状連結帆立貝掛止具の多数が一体に連結した状態のユニットを、一度に８０個成形をした。
その他の寸法、大きさ、形態の規模は、上記成形実施態様１の並列状連結帆立貝掛止具ｍの形状に示すものと共通するものが成形された。
特に、上向きアグの長さは３．４５ｍｍ、曲率半径は２．４ｍｍ、下向きアグの長さは約１．１ｍｍ、曲率半径は１．１ｍｍを有する湾曲形状の二又のアグ（かえし）の構造からなる。
１段目アグは棍棒の中心部から約、２６ｍｍ、二段目アグは１５ｍｍ程度の距離で、左右対称に設置されており、その他の寸法は、成形実施態様１と共通する。
【００４９】
（二個の寝床を備えた並列状連結帆立貝係止具の成形実施態様４）
本発明の二個の貝寝床を有するほたて貝耳吊用並列状連結帆立貝掛止具ｍを、樹脂材料として、通常ナイロン１１というポリアミドを用いて、図６（ａ）に見るように末端構造を成形できる多数個取り金型を備えた射出成形により、並列状連結帆立貝掛止具の多数が一体に連結した状態のユニットを、一度に８０個成形をした。
その並列状連結帆立貝掛止具ｍの、その他の寸法、大きさ、形態の規模は、上記成形実施態様１〜３の並列状連結帆立貝掛止具ｍの形状に示すものと共通するものが成形された。
特に、貝の寝床部に相当する棍棒に形成された同一の太さを有する細工部分は、曲率半径ｒ１のアグの根元の位置より棍棒に水平に約６ｍｍ程度の長の第一段の貝の寝床を、更に棍棒の中心方向に約１０ｍｍ程度寄った位置に長さが約６ｍｍ程度の第２段目の貝の寝床部を設置したものが成形された。
【００５０】
（並列状連結帆立貝掛止具の成形の比較実施態様１）
比較実施態様１として、基本的な構造部分は、前記成形実施態様１，２の成形と共通するが、掛止部のアグ部が、二つとも上向きアグの構造である、曲率半径ｒ１が２．２ｍｍ、長さ３．１ｍｍ、上向きアグの曲率半径ｒ２が１．１ｍｍ、長さ１．１ｍｍの湾曲形状の二又のアグ（かえし）の構造からなる成形品を成形した。
【００５１】
（並列状連結帆立貝掛止具の保形試験）
長さ１ｍ程度の帯状の並列状連結帆立貝係止具を１０回巻取り、まき戻しを繰り返しても、成形実施態様１、成形実施態様２および比較実施態様１の並列状連結帆立貝係止具には、破損、離脱、変形、歪みがなく、安定した形状を保持しており、輸送、保管、養殖現場の取り扱いに耐えうる構造であることを確認した。
【００５２】
（自動挿入機（ピンセッター）における簡単な挿入試験）
本発明の並列状連結帆立貝掛止具を慣用の自動挿入装置（ピンセッター）へセットして、直径８ｍｍのロープに順次自動挿入する。この挿入された貝係止具（ピン）１０個を目視判定をする。特に、貝係止具（ピン）がロープを中心に左右対称に取り付けられているかを観察すれば、ロープを中心にして、１０個の全部が左右対称に取り付けられていることを確認することができる。成形実施態様１、成形実施態様２および比較実施態様１の製品には、取り扱い上特段の問題はない。
【００５３】
（水中揺動試験）
直径７ｍｍ程度のロープに、根幹１の中央部に連結線部材が設置されている成形実施態様１、成形実施態様２および比較実施態様１の本発明の帆立貝掛止具を、１０個を１２ｃｍ間隔で、突起残渣がロープ中に埋め込まれるように取り付けた。比較の為、根幹１の中央部に連結線部材の無いもの１０個を１２ｃｍ間隔で取り付けたものとを、水中に並べ、約２４時間不規則な強制運動を与えた。
成形実施態様３で成形された二段アグ構造を有する帆立貝掛止具、および  成形実施態様４で成形された複数の貝寝床を有する帆立貝掛止具においても、同様に試験することができる。
これにより、本発明の成形実施態様１、成形実施態様２、の帆立貝掛止具製品は、９個に大きなずれ、偏り、或いは回転が無いことを確認することができた。同様に、成形実施態様３の二段アグ、成形実施態様４の複数の貝寝床を有する掛止具においても実施態様１，２に準じる効果を達成できる。一方、中央部に突起残渣がないもの、或いは、アグ構造が比較実施態様１の貝掛止具にあっては、大きなずれ、偏り、或いは回転が確認できたものは５個と若干多く、しかも、帆立貝の耳の突起物に接触して、抜け防止機能を有する係止部３が根幹１に密着し、帆立貝係止具より帆立貝が１個落下したのを発見した。この試験の結果、帆立貝掛止具の回転により貝の離脱に影響することが予測される。
また、本発明の貝掛止具の場合には、例えば、貝掛止部の引っ張り強度約２．７ｋｇ、引っ張強度が約３．５ｋｇなどの事情を考慮して、ロープ止め部の引っ張強度を、それ以上またはそれ以下の強度になるように設計してみると、養殖後掛止具を母線内に残して、回収を容易にするか、容易に母線から引き抜けるようにするかというような挙動は容易に解析できるので、成形材料の特性や材料の経年変化も考慮して設計、製作することが出来る。したがって、掛止具が海水中に飛散することに対する環境対策や、魚介類の影響も配慮して設計できるという作用効果が期待できる。
これらの本発明の挙動は、特定のアグ構造からなる貝掛止部３、ロープ止め部４および連結用部材５の構造および配置が一体となり、相互に密接に関連して、従来の掛止具には期待できないばかりか予測できない作用効果を奏するものである。
【産業上の利用可能性】
【００５４】
牡蠣、帆立などの各種貝の養殖現場において、経済的に安価に帆立貝掛止具を提供することにより、貝の、特に帆立貝掛止具の取り付けおよび貝の取り付けが容易にできるとともに、安定に取り付けができるために、貝の離脱が少ないということも貢献して、海岸および海水中のプラスチックごみの散乱が少なく、魚介類や海鳥の誤飲による自然環境の破壊や公害を軽減できるばかりでなく、養殖貝の収穫や貝掛止具の回収の省力化も達成できるので、今後ますますの発展が期待される各種貝の養殖産業の発展に著しく寄与するものである。
【符号の説明】
【００５５】
Ｌ１        上向きアグの長さ
Ｌ２        下向きアグの長さ
Ｌ３        掛止貝寝床の長さ
ｍ          並列状連結帆立貝掛止具
ｐ          貝掛止具単品
ｒ１        上向きアグの曲率半径
ｒ２        下向きアグの曲率半径
Ｒ        ロープ、縄、紐のような母線
Ｓ        貝
θ        ロープ止め突起の傾斜角θ
【００５６】
１              貝掛止具の根幹
１１’、１１”    一段目の貝の寝床
１２’、１２”    二段目の貝の寝床
２                貝掛止具の先端部
２’、２”          根幹の左右先端部
３                貝掛止部
３１’、３１”    一段目の対の左右掛止部
３１１’        一段目の掛止部の上向きアグ
３１２”        一段目の掛止部の下向きアグ
３２’、３２”    二段目の対の左右掛止部
４                ロープ止め部
４１’、４１”    対のロープ止め突起
４１１’、４１１”    ロープ止め突起の先端部
５               連結線部材
５１            左側連結線部材
５２            中央連結線部材
５３            右側連結線部材
【先行技術文献】
【特許文献】
【００５７】
【特許文献１】特開昭５６−１０２７４４号公報
【特許文献２】特開平４−７１４３６号公報
【特許文献３】特許第４７６７５７６号公報
【特許文献４】特許第３３７５６１７号公報。
【特許文献５】特開２００４−２０８６１９号公報
【特許文献６】特開２００２−１３６２４１号公報
【特許文献７】特開２００３−２８９７４３号公報、
【特許文献８】意匠登録第１１８４３２２号公報
【特許文献９】意匠登録第１３１８２４０号公報
【特許文献１０】意匠登録第１２５３３３９号公報
【特許文献１１】特開２００６−１２９７５４号公報
【特許文献１２】特開２００６−２８０３１２号公報
【図１】
2018000131.tif 000003
【図２】
2018000131.tif 000004
【図３】
2018000131.tif 000005
【図４】
2018000131.tif 000006
【図５】
2018000131.tif 000007
【図６】
2018000131.tif 000008
【図７】
2018000131.tif 000009
【図８】
2018000131.tif 000010
【図９】
2018000131.tif 000011
【図１０】
2018000131.tif 000012
【図１１】
2018000131.tif 000013